(57)【要約】【課題】種々の電気光学パネルに応じて、データ線の容量のばらつきに起因する表示ムラを低減できる表示ドライバー、電気光学装置及び電子機器等を提供すること。【解決手段】表示ドライバー１００は、電気光学パネル２００に出力される複数のデータ信号ＤＳ１〜ＤＳｎを出力する複数の出力端子ＴＱ１〜ＴＱｎと、複数の出力端子ＴＱ１〜ＴＱｎの隣り合う出力端子の間に各容量回路が設けられる複数の容量回路ＣＣ１〜ＣＣｎと、各容量回路の容量値を設定する制御回路３０と、を含む。【選択図】      図１
2018025662.tif 000002
【特許請求の範囲】
【請求項１】
電気光学パネルに出力される複数のデータ信号を出力する複数の出力端子と、
前記複数の出力端子の隣り合う出力端子の間に各容量回路が設けられる複数の容量回路と、
前記各容量回路の容量値を設定する制御回路と、
を含むことを特徴とする表示ドライバー。
【請求項２】
請求項１において、
前記各容量回路は、
キャパシター群と、
前記キャパシター群の各キャパシターと前記出力端子との間を接続する少なくとも１つのスイッチ群と、
を含むことを特徴とする表示ドライバー。
【請求項３】
請求項２において、
前記各容量回路は、
前記複数の出力端子のうち第ｉの出力端子に一端が接続され、前記キャパシター群の一端に他端が接続される第１のスイッチ群と、
前記第ｉの出力端子に隣り合う第ｉ＋１の出力端子に一端が接続され、前記キャパシター群の他端に他端が接続される第２のスイッチ群と、
を前記少なくとも１つのスイッチ群として有することを特徴とする表示ドライバー。
【請求項４】
請求項１乃至３のいずれかにおいて、
前記複数の容量回路は、
前記複数の出力端子である第１〜第ｎの出力端子（ｎは２以上の整数）のうちの第ｎの出力端子と第１の出力端子との間に設けられる容量回路を含むことを特徴とする表示ドライバー。
【請求項５】
請求項２又は３において、
前記キャパシター群の前記各キャパシターの容量値はバイナリーに重み付けされていることを特徴とする表示ドライバー。
【請求項６】
請求項１乃至５のいずれかにおいて、
前記制御回路は、
前記各容量回路の容量値を設定する容量値設定情報を記憶するレジスターを有することを特徴とする表示ドライバー。
【請求項７】
請求項１乃至６のいずれかにおいて、
前記電気光学パネルの複数のデータ線の間の容量値情報を測定する測定回路を含み、
前記測定回路により測定された前記容量値情報に基づいて前記各容量回路の容量値が設定されることを特徴とする表示ドライバー。
【請求項８】
請求項７において、
前記測定回路は、
判定電圧が第１の入力端子に入力される比較回路と、
前記複数の出力端子のいずれかの出力端子を前記比較回路の第２の入力端子に接続するスイッチ群と、
を有することを特徴とする表示ドライバー。
【請求項９】
請求項８において、
前記複数の出力端子のうち第ｉの出力端子の電圧が変化する場合において、前記スイッチ群は前記第ｉの出力端子に隣り合う第ｉ＋１の出力端子を前記第２の入力端子に接続し、前記比較回路は、前記第ｉ＋１の出力端子の電圧と前記判定電圧とを比較することを特徴とする表示ドライバー。
【請求項１０】
請求項１乃至９のいずれかにおいて、
前記複数の出力端子に前記複数のデータ信号を出力する駆動回路を含むことを特徴とする表示ドライバー。
【請求項１１】
請求項１０において、
前記駆動回路は、
前記複数の出力端子の各出力端子に対応して設けられたアンプ回路と、
前記アンプ回路による駆動をアシストする駆動アシスト回路と、
を有し、
前記駆動アシスト回路は、
データ信号の階調変化情報に基づいて予備駆動を行うことを特徴とする表示ドライバー。
【請求項１２】
請求項１０において、
前記駆動回路は、
前記複数の出力端子の各出力端子に対応して設けられ、当該出力端子と第１〜第ｍのキャパシター駆動用ノード（ｍは２以上の整数）との間に設けられる第１〜第ｍのキャパシターと、
階調データに対応する第１〜第ｍのキャパシター駆動電圧を前記第１〜第ｍのキャパシター駆動用ノードに出力するキャパシター駆動回路と、
を有することを特徴とする表示ドライバー。
【請求項１３】
請求項１乃至１２のいずれかにおいて、
前記電気光学パネルは、
前記複数のデータ信号である複数のビデオ信号をサンプルホールドするサンプルホールド回路を有し、
前記複数の出力端子は、
前記サンプルホールド回路の一端に接続可能な端子であることを特徴とする表示ドライバー。
【請求項１４】
請求項１乃至１３のいずれかに記載された表示ドライバーと、
前記電気光学パネルと、
を含むことを特徴とする電気光学装置。
【請求項１５】
請求項１４において、
前記電気光学パネルは、
前記複数のデータ信号である複数のビデオ信号をサンプルホールドするサンプルホールド回路と、
前記表示ドライバーの前記複数の出力端子に接続される複数の入力端子と、
を有し、
前記サンプルホールド回路は、
各トランジスターのドレインが画素に接続され、前記各トランジスターのソースが前記複数の入力端子のいずれかの入力端子に接続される複数のトランジスターを有し、
前記複数のトランジスターの第１のトランジスターは、前記電気光学パネルの第１の方向に沿ってソース、ドレインの順に配置され、前記第１の方向に沿って前記第１のトランジスターに隣り合う第２のトランジスターは、前記第１の方向に沿ってドレイン、ソースの順に配置されることを特徴とする電気光学装置。
【請求項１６】
請求項１乃至１３のいずれかに記載された表示ドライバーを含むことを特徴とする電子機器。
【発明の詳細な説明】
【技術分野】
【０００１】
本発明は、表示ドライバー、電気光学装置及び電子機器等に関する。
【背景技術】
【０００２】
従来の表示ドライバーは、各画素の表示データを電圧に変換するＤ／Ａ変換回路と、その電圧に基づいて各画素をデータ電圧で駆動するアンプ回路と、を含んでいる。アンプ回路はフィードバック制御を行うため、各データ線の容量（例えばデータ線間の寄生容量）が異なっていてもデータ電圧を目標電圧に制御することが可能である。
【０００３】
近年では、電気光学パネルの高精細化が進んでいるため１画素あたりの駆動時間が短くなっている。例えばソース線を数本〜十数本ずつ順次に駆動していく相展開駆動（例えば特許文献１）では、１回に駆動できる画素が数個〜十数個であるため、高精細化にともなって１画素あたりの駆動時間が非常に短くなる。このように駆動時間が短くなると、アンプ回路の駆動能力を上げる（セトリング時間を短くする）必要があるが、アンプ回路の駆動能力を上げると、相対的に出力電圧の精度が下がる。これらを両立させるためにはアンプ回路の消費電流を増やす必要があるが、表示ドライバーの発熱（温度上昇）が大きくなるため、高精細化への対応が困難になってきている。
【先行技術文献】
【特許文献】
【０００４】
【特許文献１】特開２００１−３２４９７０号公報
【発明の概要】
【発明が解決しようとする課題】
【０００５】
上記のような問題に対応するため、フィードバック制御を用いない駆動を行い、その後にアンプ回路により高精度なデータ電圧にセトリングさせる手法（又は、フィードバック制御を用いない駆動のみで駆動する手法）が考えられる。例えば、前の表示データと次の表示データとの階調差に応じた駆動能力のトランジスターで、所定の期間において出力端子を電源に接続することで、データ電圧を目標電圧に急峻に変化させる手法（デジタルアシスト駆動）がある。或いは、データ線や画素の容量と駆動回路の容量との間で、表示データに応じた電荷量の電荷再分配を行うことで、データ電圧を目標電圧に急峻に変化させる手法（容量駆動）がある。
【０００６】
しかしながら、これらの手法ではフィードバック制御が行われないことから、各データ線の容量（例えばデータ線間の寄生容量）が異なる場合に、実際に到達するデータ電圧と目標電圧との誤差が各データ線でばらつき、表示品質が低下する（表示ムラが生じる）という課題がある。このようなデータ電圧と目標電圧との誤差をアンプ回路で修正しようとすると、アンプ回路が短時間にデータ電圧をセトリングさせる駆動能力が必要となり、結局、アンプ回路の消費電力が増加してしまうことになる。
【０００７】
また、表示ドライバーは種々の電気光学パネルに汎用的に用いられる場合があるため、種々の電気光学パネルに用いられた場合において、データ線の容量のばらつきに起因する表示ムラを低減できる必要がある。
【０００８】
本発明の幾つかの態様によれば、種々の電気光学パネルに応じて、データ線の容量のばらつきに起因する表示ムラを低減できる表示ドライバー、電気光学装置及び電子機器等を提供できる。
【課題を解決するための手段】
【０００９】
本発明の一態様は、電気光学パネルに出力される複数のデータ信号を出力する複数の出力端子と、前記複数の出力端子の隣り合う出力端子の間に各容量回路が設けられる複数の容量回路と、前記各容量回路の容量値を設定する制御回路と、を含む表示ドライバーに関係する。
【００１０】
本発明の一態様によれば、隣り合う出力端子の間に容量回路が設けられ、その容量回路の容量値が制御される。これにより、電気光学パネルにおけるデータ線間の寄生容量と容量回路の容量値の合計が、各データ線でほぼ同一となるように調整することが可能となる。データ線間の容量が各データ線でほぼ同一になることで、その容量のカップリングによるデータ電圧の変動が各データ線でほぼ均一となり、表示ムラを低減できる。データ線間の寄生容量のばらつきは電気光学パネルの種類によって異なるが、本発明の一態様では表示ドライバーの容量回路で上記のような調整が可能であることによって、種々の電気光学パネルに応じて、データ線の容量のばらつきに起因する表示ムラを低減できる。
【００１１】
また本発明の一態様では、前記各容量回路は、キャパシター群と、前記キャパシター群の各キャパシターと前記出力端子との間を接続する少なくとも１つのスイッチ群と、を含んでもよい。
【００１２】
本発明の一態様によれば、キャパシター群の各キャパシターと出力端子との間の接続をスイッチ群により制御できる。これにより、隣り合う出力端子の間の容量を容量回路で調整することが可能となり、データ線間の寄生容量のばらつきを補正してデータ線間の容量をそろえることが可能となる。
【００１３】
また本発明の一態様では、前記各容量回路は、前記複数の出力端子のうち第ｉの出力端子に一端が接続され、前記キャパシター群の一端に他端が接続される第１のスイッチ群と、前記第ｉの出力端子に隣り合う第ｉ＋１の出力端子に一端が接続され、前記キャパシター群の他端に他端が接続される第２のスイッチ群と、を前記少なくとも１つのスイッチ群として有してもよい。
【００１４】
本発明の一態様によれば、キャパシター群が、隣り合う出力端子の間に第１のスイッチ群と第２のスイッチ群により接続されている。これにより、第１、第２のスイッチ群の各スイッチのオン及びオフを制御することで、キャパシター群の各キャパシターを隣り合う出力端子の間に接続するか否かを制御できる。
【００１５】
また本発明の一態様では、前記複数の容量回路は、前記複数の出力端子である第１〜第ｎの出力端子（ｎは２以上の整数）のうちの第ｎの出力端子と第１の出力端子との間に設けられる容量回路を含んでもよい。
【００１６】
相展開方式の電気光学パネルでは第ｎのデータ線と第１のデータ線との間にも寄生容量があり、この寄生容量も、データ線間の寄生容量のばらつきによる表示ムラの原因となる。この点、本発明の一態様によれば、第ｎの出力端子と第１の出力端子との間に容量回路が設けられるので、第ｎのデータ線と第１のデータ線との間の容量を調整することが可能となり、表示ムラを低減できる。
【００１７】
また本発明の一態様では、前記キャパシター群の前記各キャパシターの容量値はバイナリーに重み付けされていてもよい。
【００１８】
このようにすれば、容量回路に設定する容量値に対応したバイナリーコードで容量回路のスイッチ群を制御することにより、容量回路の容量値を調整することが可能となる。
【００１９】
また本発明の一態様では、前記制御回路は、前記各容量回路の容量値を設定する容量値設定情報を記憶するレジスターを有してもよい。
【００２０】
本発明の一態様によれば、容量値設定情報を記憶するレジスターを有することで、その容量値設定情報を変更することにより容量回路の容量値を可変に調整することが可能となる。これにより、データ線間の寄生容量が異なる種々の電気光学パネルに対応してデータ線間の容量を調整することが可能となる。
【００２１】
また本発明の一態様では、前記電気光学パネルの複数のデータ線の間の容量値情報を測定する測定回路を含み、前記測定回路により測定された前記容量値情報に基づいて前記各容量回路の容量値が設定されてもよい。
【００２２】
本発明の一態様によれば、データ線間の容量値情報を測定することで、その容量値情報に基づいて、データ線間の容量が同じになるように容量回路の容量値を調整することが可能となる。
【００２３】
また本発明の一態様では、前記測定回路は、判定電圧が第１の入力端子に入力される比較回路と、前記複数の出力端子のいずれかの出力端子を前記比較回路の第２の入力端子に接続するスイッチ群と、を有してもよい。
【００２４】
本発明の一態様によれば、いずれかの出力端子がスイッチ群により比較回路の第２の入力端子に接続され、その出力端子の電圧と判定電圧とが比較される。これにより、その出力端子の電圧変動を判定電圧と比較でき、その比較結果から容量値情報を取得することが可能となる。
【００２５】
また本発明の一態様では、前記複数の出力端子のうち第ｉの出力端子の電圧が変化する場合において、前記スイッチ群は前記第ｉの出力端子に隣り合う第ｉ＋１の出力端子を前記第２の入力端子に接続し、前記比較回路は、前記第ｉ＋１の出力端子の電圧と前記判定電圧とを比較してもよい。
【００２６】
本発明の一態様によれば、第ｉ＋１の出力端子に隣り合う第ｉの出力端子の電圧を変化させた場合に、第ｉ＋１の出力端子の電圧変動を比較回路により判定電圧と比較できる。隣り合うデータ線間の寄生容量の容量値に応じて、第ｉ＋１の出力端子の電圧変動の大きさが変わるので、比較回路による比較結果に基づいて寄生容量の容量値情報を測定できる。
【００２７】
また本発明の一態様では、前記複数の出力端子に前記複数のデータ信号を出力する駆動回路を含んでもよい。
【００２８】
駆動回路がデータ信号の電圧を変化させた場合、データ線間の寄生容量のカップリングにより、そのデータ信号の電圧を変化させた出力端子に隣り合う出力端子の電圧を変動させてしまう。このとき、データ線間の寄生容量がばらついていると、カップリングによる電圧変動もばらついてしまう。この点、本発明の一態様によれば、データ線間の容量を容量回路により調整できるので、カップリングによる電圧変動のばらつきを低減できる。これにより、表示ムラを低減することが可能となる。
【００２９】
また本発明の一態様では、前記駆動回路は、前記複数の出力端子の各出力端子に対応して設けられたアンプ回路と、前記アンプ回路による駆動をアシストする駆動アシスト回路と、を有し、前記駆動アシスト回路は、データ信号の階調変化情報に基づいて予備駆動を行ってもよい。
【００３０】
駆動アシスト回路の予備駆動で到達した電圧が、目標電圧からずれていた場合、アンプ回路の駆動で修正される。しかしながら、その修正が大きいとアンプ回路に大きな駆動能力が要求され、消費電力が増大する。データ線間の寄生容量がばらついていると、駆動アシスト回路が充電する容量が各データ線で異なることになり、上記のような目標電圧からのずれの原因となる。本発明の一態様によれば、データ線間の容量を容量回路で調整できるので、予備駆動で充電する容量を各データ線で同じにできる。これにより、予備駆動で到達する電圧と目標電圧との誤差を低減し、アンプ回路の消費電力を低減できる。
【００３１】
また本発明の一態様では、前記駆動回路は、前記複数の出力端子の各出力端子に対応して設けられ、当該出力端子と第１〜第ｍのキャパシター駆動用ノード（ｍは２以上の整数）との間に設けられる第１〜第ｍのキャパシターと、階調データに対応する第１〜第ｍのキャパシター駆動電圧を前記第１〜第ｍのキャパシター駆動用ノードに出力するキャパシター駆動回路と、を有してもよい。
【００３２】
本発明の一態様では、予備駆動において容量間の電荷再分配を用いるため、電気光学パネル側容量が各データ線で異なっていると、電荷再分配後の電圧も異なってしまう。この誤差は、アンプ回路の駆動で修正されるが、その修正が大きいとアンプ回路に大きな駆動能力が要求され、消費電力が増大する。本発明の一態様によれば、データ線間の容量を容量回路で調整できるので、電気光学パネル側容量を各データ線で同じにできる。そのため、予備駆動で到達する電圧と目標電圧との誤差を低減し、アンプ回路の消費電力を低減できる。
【００３３】
また本発明の一態様では、前記電気光学パネルは、前記複数のデータ信号である複数のビデオ信号をサンプルホールドするサンプルホールド回路を有し、前記複数の出力端子は、前記サンプルホールド回路の一端に接続可能な端子であってもよい。
【００３４】
このようなサンプルホールド回路を有する場合、ソース線に電圧をホールドしたタイミングで、その電圧と目標電圧の間に誤差があると、表示ムラの原因となる。このような誤差の一因としてデータ線間の寄生容量のばらつきがある。この点、本発明の一態様によれば、データ線間の容量を容量回路で調整できるので、表示ムラを低減できる。
【００３５】
また本発明の他の態様は、上記のいずれかに記載された表示ドライバーと、前記電気光学パネルと、を含む電気光学装置に関係する。
【００３６】
また本発明の他の態様では、前記電気光学パネルは、前記複数のデータ信号である複数のビデオ信号をサンプルホールドするサンプルホールド回路と、前記表示ドライバーの前記複数の出力端子に接続される複数の入力端子と、を有し、前記サンプルホールド回路は、各トランジスターのドレインが画素に接続され、前記各トランジスターのソースが前記複数の入力端子のいずれかの入力端子に接続される複数のトランジスターを有し、前記複数のトランジスターの第１のトランジスターは、前記電気光学パネルの第１の方向に沿ってソース、ドレインの順に配置され、前記第１の方向に沿って前記第１のトランジスターに隣り合う第２のトランジスターは、前記第１の方向に沿ってドレイン、ソースの順に配置されてもよい。
【００３７】
また本発明の更に他の態様は、上記のいずれかに記載された表示ドライバーを含む電子機器に関係する。
【図面の簡単な説明】
【００３８】
【図１】本実施形態の表示ドライバーの構成例。
【図２】電気光学パネルの構成例。
【図３】データ線間の寄生容量を模式的に示す図。
【図４】データ線間の寄生容量の容量値を模式的に示す図。
【図５】データ線間の寄生容量のカップリングによる電圧変動の例。
【図６】容量回路の詳細な構成例。
【図７】測定回路を含む場合の表示ドライバーの詳細な構成例。
【図８】寄生容量の容量値の測定手法と、容量回路の容量値の調整手法を説明する図。
【図９】寄生容量の容量値の測定手法と、容量回路の容量値の調整手法を説明する図。
【図１０】寄生容量の容量値を測定する処理のフローチャート。
【図１１】寄生容量の容量値を測定する処理の詳細なフローチャート。
【図１２】容量回路の容量値を調整する処理のフローチャート。
【図１３】容量回路の容量値を調整する処理の詳細なフローチャート。
【図１４】駆動回路の第１の詳細な構成例。
【図１５】第１の詳細な構成例の駆動回路の動作を説明する図
【図１６】駆動回路の第２の詳細な構成例。
【図１７】電気光学装置の構成例。
【図１８】電子機器の構成例。
【発明を実施するための形態】
【００３９】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００４０】
１．表示ドライバー
図１は、本実施形態の表示ドライバー１００の構成例を示す。表示ドライバー１００は、複数の出力端子ＴＱ１〜ＴＱｎと、複数の容量回路ＣＣ１〜ＣＣｎと、制御回路３０とを含む。また表示ドライバー１００は駆動回路１０を含む。ここで、ｎは２以上の整数である。
【００４１】
複数の出力端子ＴＱ１〜ＴＱｎは、電気光学パネルに出力される複数のデータ信号ＤＳ１〜ＤＳｎ（複数のデータ電圧）を出力する。各容量回路は、複数の出力端子ＴＱ１〜ＴＱｎの隣り合う出力端子の間に設けられる。制御回路３０は、各容量回路の容量値を設定する。
【００４２】
具体的には、複数の出力端子ＴＱ１〜ＴＱｎは、第１〜第ｎの出力端子である。また複数の容量回路ＣＣ１〜ＣＣｎは、第１〜第ｎの容量回路である。出力端子ＴＱｉと出力端子ＴＱｉ＋１は隣り合う出力端子であり、容量回路ＣＣｉの一端が出力端子ＴＱｉに接続され、容量回路ＣＣｉの他端が出力端子ＴＱｉ＋１に接続される。ここでｉは１以上ｎ−１以下の整数である。容量回路ＣＣｉの容量値は可変に調整可能であり、その容量値は制御回路３０からの制御信号ＳＣＴにより設定される。例えば図６で説明するように、容量回路ＣＣｉは、キャパシター群の各キャパシターを接続するか否かをスイッチ群で選択する。この場合、制御信号ＳＣＴはスイッチのオン及びオフを制御する信号である。或いは容量回路ＣＣｉはバラクター（可変容量ダイオード）を含んでもよい。この場合、制御信号ＳＣＴはバラクターの制御電圧である。
【００４３】
表示ドライバー１００は例えば集積回路装置であり、出力端子ＴＱｉは、その集積回路装置のパッド（シリコン基板に形成されるパッド）或いはパッケージの端子（回路基板に実装するための端子）である。隣り合う出力端子ＴＱｉ、ＴＱｉ＋１は、電気光学パネルの複数のデータ線（複数のビデオ線）のうち隣り合うデータ線に接続される出力端子のことである。シリコン基板上又はパッケージ上において、この出力端子ＴＱｉ、ＴＱｉ＋１の間には他の出力端子が設けられない。なお、出力端子ＴＱｉ、ＴＱｉ＋１の間に出力端子以外の端子が設けられてもよい。
【００４４】
図２で説明するように、電気光学パネルにおいてデータ信号をソース線にサンプリングするトランジスターは、ソース、ドレイン、ドレイン、ソースの順に並ぶように配置されている。そのため、図３〜図５で説明するようにデータ線間の寄生容量が各データ線で異なっており、その寄生容量のカップリングによるデータ電圧の変動が各データ線でばらついてしまう。図１４〜図１６で説明するデジタルアシスト駆動や容量駆動を用いた場合、この電圧変動のばらつきによって表示品質が低下する（縦スジや表示ムラが生じる）可能性がある。
【００４５】
この点、本実施形態によれば、隣り合う出力端子ＴＱｉ、ＴＱｉ＋１の間に容量回路ＣＣｉが設けられ、その容量回路ＣＣｉの容量値が制御される。これにより、電気光学パネルにおけるデータ線間の寄生容量と容量回路ＣＣｉの容量値の合計が、各データ線でほぼ同一となるように調整（補正）することが可能となる。データ線間の容量が各データ線でほぼ同一になることで、その容量のカップリングによるデータ電圧の変動が各データ線でほぼ均一となり、表示品質を向上できる。
【００４６】
このようにデータ線間の寄生容量のばらつきを調整できることで、フィードバック制御を行わない駆動であっても、より正確にデータ電圧を目標電圧に変化させることが可能となる。そして、その後にアンプ回路で目標電圧にセトリングさせる場合に、その修正すべき誤差を小さくすることが可能となり、アンプ回路の消費電力（駆動能力）を削減しつつ正確なデータ電圧を出力させることが可能となる。
【００４７】
また、データ線間の寄生容量は、電気光学パネルの製品（或いは同一製品でも個体差）に依存している。この点、本実施形態では、表示ドライバー１００に容量回路ＣＣ１〜ＣＣｎを設け、表示ドライバー１００側でデータ線間の容量を調整できるようにしたので、種々の電気光学パネルに対応してデータ線間の容量を調整することが可能となっている。このため、電気光学パネル側に調整機構を設ける必要がなく、また、図７〜図１３で説明するように容量回路ＣＣｉの容量値を自動調整することも可能となる。
【００４８】
また本実施形態では、複数の容量回路ＣＣ１〜ＣＣｎは、第１〜第ｎの出力端子ＴＱ１〜ＴＱｎのうちの第ｎの出力端子ＴＱｎと第１の出力端子ＴＱ１との間に設けられる容量回路ＣＣｎ（第ｎの容量回路）を含む。具体的には、容量回路ＣＣｎの一端が第ｎの出力端子ＴＱｎに接続され、容量回路ＣＣｎの他端が第１の出力端子ＴＱ１に接続される。容量回路ＣＣｎの容量値は制御回路３０により設定される。
【００４９】
図２で説明するような相展開方式の電気光学パネルでは、８本（ｎ本）のデータ線ＶＬ１〜ＶＬ８が８個ずつのトランジスターに順次に接続されている。そのため、第８のデータ線ＶＬ８と第１のデータ線ＶＬ１との間に寄生容量が生じる。例えば、第８のデータ線ＶＬ８に接続される第８のトランジスターＴＲ８と、第１のデータ線ＶＬ１に接続される第９のトランジスターＴＲ９とは隣り合っている。そのため、これらのトランジスターのソースＳＳ８、ＳＳ９に接続される配線の間に寄生容量が生じる。このような寄生容量はトランジスター８個毎に存在するので、それらの合計が第８のデータ線ＶＬ８と第１のデータ線ＶＬ１との間の寄生容量に含まれることになる。
【００５０】
このように、相展開方式の電気光学パネルでは第ｎのデータ線と第１のデータ線との間にも寄生容量があり、上述したデータ線間の寄生容量のばらつきによる表示ムラの原因となる。この点、本実施形態によれば、第ｎの出力端子ＴＱｎと第１の出力端子ＴＱ１との間に容量回路ＣＣｎが設けられるので、第ｎのデータ線と第１のデータ線との間の容量を調整（補正）することが可能となり、表示ムラを低減できる。
【００５１】
また本実施形態では、制御回路３０は、各容量回路（ＣＣ１、ＣＣ２、・・・、ＣＣｎ）の容量値を設定する容量値設定情報を記憶するレジスター３２を有する。例えば、図６で説明するようにキャパシター群とスイッチ群で容量回路を構成した場合、各スイッチのオン及びオフを設定する情報（データ）が容量値設定情報である。或いは、容量回路がバラクターを含む場合、そのバラクターの制御電圧を設定する情報（例えば設定データをＤ／Ａ変換して制御電圧を生成する場合、その設定データ）が容量値設定情報である。
【００５２】
例えば、レジスター３２には表示ドライバー１００の不揮発性メモリー（例えば図１７の記憶部６０）から容量値設定情報が転送される。或いは、図１７のインターフェース回路７０を介して図１８の処理部３１０からレジスター３２に容量値設定情報が書き込まれてもよい。これらの場合、例えば電気光学パネルのデータ線間の寄生容量を自動測定又は外部の測定装置で予め測定しておき、それにより得られた容量値設定情報を不揮発性メモリー又は図１８の記憶部３２０に記憶させる。或いは、レジスター３２には、図７〜図１３で説明する自動測定により得られた容量値設定情報が書き込まれてもよい。この場合、例えば表示ドライバー１００の電源が投入された際に、電気光学パネルのデータ線間の寄生容量を自動測定で測定し、それにより得られた容量値設定情報をレジスター３２に記憶させる。
【００５３】
本実施形態によれば、容量値設定情報を記憶するレジスター３２を有することで、その容量値設定情報を変更することにより容量回路ＣＣ１〜ＣＣｎの容量値を可変に調整することが可能となる。これにより、データ線間の寄生容量が異なる種々の電気光学パネルに対応してデータ線間の容量を調整することが可能となる。
【００５４】
２．電気光学パネル
図２は、表示ドライバー１００が駆動する電気光学パネル２００の構成例である。なお以下では、アクティブマトリクス型の相展開方式の液晶表示パネルを例に説明するが、本実施形態の表示ドライバー１００の適用対象はこれに限定されない。即ち、データ線間の寄生容量のばらつきによって表示ムラが生じる可能性がある型式及び駆動方式の電気光学パネルであれば本実施形態の表示ドライバー１００を適用できる。また、電気光学パネルは液晶表示パネルに限らず、例えば自発光素子を用いた表示パネル（例えば有機ＥＬ表示パネル）であってもよい。
【００５５】
電気光学パネル２００は、複数のデータ信号ＤＳ１〜ＤＳ８である複数のビデオ信号をサンプルホールドするサンプルホールド回路を有する。表示ドライバー１００の複数の出力端子ＴＱ１〜ＴＱ８は、サンプルホールド回路の一端に接続可能な端子である。なお以下ではｎ＝８の場合を例に説明するがｎは８に限定されない。
【００５６】
具体的には、サンプルホールド回路は、ソース線ＤＬ１、ＤＬ２、ＤＬ３、・・・に接続されるトランジスターＴＲ１、ＴＲ２、ＴＲ３、・・・である。そして、このトランジスターＴＲ１、ＴＲ２、ＴＲ３、・・・がオンになるとビデオ信号がソース線ＤＬ１、ＤＬ２、ＤＬ３、・・・にサンプリングされ、オフになるとビデオ信号がソース線ＤＬ１、ＤＬ２、ＤＬ３、・・・にホールドされる。ここでビデオ信号は、相展開駆動において表示ドライバーが電気光学パネルを駆動する駆動信号のことである。
【００５７】
このようなサンプルホールド回路を有する場合、ソース線に電圧をホールドしたタイミングで、その電圧と目標電圧（表示データに対応する電圧）の間に誤差があると、表示ムラの原因となる。このような誤差の一因としてデータ線（ビデオ線）間の寄生容量がある。この点、本実施形態ではデータ線間の容量を容量回路ＣＣ１〜ＣＣ８で調整できるので、表示ムラを低減できる。
【００５８】
また本実施形態では、電気光学パネル２００は、表示ドライバー１００の複数の出力端子ＴＱ１〜ＴＱ８に接続される複数の入力端子ＴＩ１〜ＴＩ８を有する。複数のトランジスターＴＲ１、ＴＲ２、ＴＲ３、・・・の各トランジスターは、そのドレインが画素に接続され、そのソースが複数の入力端子ＴＩ１〜ＴＩ８のいずれかの入力端子に接続される。そして、第１のトランジスターＴＲ１は、電気光学パネル２００の第１の方向Ｄ１に沿ってソース、ドレインの順に配置される。第１の方向Ｄ１に沿って第１のトランジスターＴＲ１に隣り合う第２のトランジスターＴＲ２は、第１の方向Ｄ１に沿ってドレイン、ソースの順に配置される。なお図２ではトランジスターのゲートを点線の長方形で示す。
【００５９】
具体的には、入力端子ＴＩ１〜ＴＩ８には、第１の方向Ｄ１に沿って配置されるデータ線ＶＬ１〜ＶＬ８（ビデオ線）が接続される。トランジスターＴＲ１〜ＴＲ８のソースＳＳ１〜ＳＳ８にはデータ線ＶＬ１〜ＶＬ８が接続され、以降同様に８個ずつのトランジスターのソースにデータ線ＶＬ１〜ＶＬ８が接続される。トランジスターＴＲ１、ＴＲ２、ＴＲ３、・・・のドレインＤＮ１、ＤＮ２、ＤＮ３、・・・にはソース線ＤＬ１、ＤＬ２、ＤＬ３、・・・が接続され、各ソース線には複数の画素（液晶セル、画素回路）が接続される。各トランジスターは長手方向（チャネル幅の方向）が、第１の方向Ｄ１に直交（交差）する第２の方向Ｄ２となるように配置される。
【００６０】
このように、トランジスターのソースとドレインの順序が交互（ソース、ドレイン、ドレイン、ソース）となるように配置されるため、データ線、ソース線、ソース線、データ線となるようにデータ線とソース線が配置されることになる。そうすると、２本のデータ線の間にソース線が２本ある場合と、２本のデータ線が隣り合う場合とができる。そのため、データ線間で寄生容量に差が生じることになる。
【００６１】
また、トランジスターの配置部分ではデータ線とソース線の両方が同一領域に配置される。画素やソース線を密に配置するためにトランジスターとその配線もできる限り密に配置する必要があるので、データ線とソース線の両方が配置される部分では線間の距離が非常に狭くなる。そのため、トランジスターの配置部分でのデータ線間の寄生容量が、データ線全体でのデータ線間の寄生容量の大きな割合を占めることになり、上記のようなデータ線間での寄生容量の差が影響するようになる。
【００６２】
図３は、データ線間の寄生容量を模式的に示す図である。容量ＣＰ１２、ＣＰ２３、ＣＰ３４、ＣＰ４５、ＣＰ５６、ＣＰ６７、ＣＰ７８、ＣＰ８１は、電気光学パネル２００の隣り合う入力端子（表示ドライバー１００の隣り合う出力端子）間の寄生容量を示す。例えば容量ＣＰ１２は、入力端子ＴＩ１、ＴＩ２の間の寄生容量である。
【００６３】
図４は、データ線間の寄生容量の容量値を模式的に示す図である。図２で説明したように、サンプルホールド回路であるトランジスターの配置によってデータ線間の寄生容量はばらついている。図２ではトランジスターＴＲ１、ＴＲ２のソースＳＳ１、ＳＳ２の間にドレインＤＮ１、ＤＮ２が配置されるので、データ線ＶＬ１、ＶＬ２の間にドレインＤＮ１、ＤＮ２（ソース線ＤＬ１、ＤＬ２）が配置されることになる。一方、トランジスターＴＲ２、ＴＲ３のソースＳＳ２、ＳＳ３は隣り合って配置されるので、データ線ＶＬ２、ＶＬ３が隣り合って配置されることになる。これらのことから、図４に示すように寄生容量ＣＰ１２の容量値は寄生容量ＣＰ２３の容量値よりも小さくなる。同様に、寄生容量ＣＰ３４、ＣＰ５６、ＣＰ７８の容量値は、寄生容量ＣＰ４５、ＣＰ６７、ＣＰ８１の容量値よりも相対的に小さくなる。なお図４は寄生容量の特性の一例であって、電気光学パネルの設計に応じて種々の特性をとり得る。
【００６４】
図５は、データ線間の寄生容量のカップリングによる電圧変動の例である。高インピーダンス（アンプ等で駆動されていない状態）の出力端子に隣り合う出力端子の電圧を変化させた場合における、高インピーダンスの出力端子の電圧変動を表している。例えば「ＴＱ２→ＴＱ１」は、出力端子ＴＱ２の電圧を変化させた（例えば最低階調から最高階調に変化させた）場合における、高インピーダンスの出力端子ＴＱ１の電圧変動を示す。なお不図示であるが「ＴＱ１→ＴＱ２」の電圧変動は「ＴＱ２→ＴＱ１」の電圧変動と同じになる。
【００６５】
データ線間の寄生容量が大きい方が、その寄生容量のカップリングによる電圧変動も大きくなる。即ち、電圧変動の特性は、図４の寄生容量の特性と同じような特性となる。例えば入力端子ＴＩ４、ＴＩ５（出力端子ＴＱ４、ＴＱ５）の間の寄生容量が最大であるとすると、「ＴＱ５→ＴＱ４」の電圧変動が最大となる。この電圧変動（電圧差）の最大値をＶＭとする。本実施形態では、隣り合う出力端子間の電圧変動が最大値ＶＭと同じ（略同一を含む）になるように、即ちデータ線間の容量が最大の容量値と同じになるように、データ線間の容量を調整する。例えば、容量回路ＣＣ３と寄生容量ＣＰ３４の容量値の合計が、寄生容量ＣＰ４５の容量値と同じになるように、容量回路ＣＣ３の容量値を調整する。
【００６６】
３．容量回路
図６は、容量回路ＣＣ１の詳細な構成例である。なお容量回路ＣＣ２〜ＣＣｎも同様に構成できる。容量回路ＣＣ１は、キャパシター群ＣＧ１と、キャパシター群ＣＧ１の各キャパシターと出力端子ＴＱ１、ＴＱ２との間を接続する少なくとも１つのスイッチ群ＳＧ１、ＳＧ２と、を含む。
【００６７】
本実施形態によれば、各キャパシターと出力端子ＴＱ１、ＴＱ２との間の接続をスイッチ群ＳＧ１、ＳＧ２により制御できる。これにより、隣り合う出力端子ＴＱ１、ＴＱ２の間の容量を容量回路ＣＣ１で調整することが可能となり、データ線間の寄生容量のばらつきを補正してデータ線間の容量をそろえることが可能となる。
【００６８】
具体的には、容量回路ＣＣ１は、第１のスイッチ群ＳＧ１と第２のスイッチ群ＳＧ２とを少なくとも１つのスイッチ群として含む。第１のスイッチ群ＳＧ１は、第１の出力端子ＴＱ１（第ｉの出力端子ＴＱｉ）に一端が接続され、キャパシター群ＣＧ１の一端に他端が接続される。第２のスイッチ群ＳＧ２は、第１の出力端子ＴＱ１に隣り合う第２の出力端子ＴＱ２（第ｉ＋１の出力端子ＴＱｉ＋１）に一端が接続され、キャパシター群ＣＧ１の他端に他端が接続される。
【００６９】
より具体的には、スイッチ群ＳＧ１は、スイッチＳＡ１〜ＳＡ９（広義には第１〜第ｐのスイッチ、ｐは２以上の整数）を有し、キャパシター群ＣＧ１はキャパシターＣＡ１〜ＣＡ９（第１〜第ｐのキャパシター）を有し、スイッチ群ＳＧ２はスイッチＳＢ１〜ＳＢ９（第１〜第ｐのスイッチ）を有する。スイッチＳＡｊ（ｊは１以上９以下の整数）の一端は出力端子ＴＱ１に接続され、他端はキャパシターＣＡｊの一端に接続される。スイッチＳＢｊの一端は出力端子ＴＱ２に接続され、他端はキャパシターＣＡｊの他端に接続される。スイッチＳＡｊ、ＳＢｊは例えばトランジスターであり、そのオン及びオフは、図１、図１７の制御回路３０により制御される。
【００７０】
本実施形態によれば、キャパシター群ＣＧ１が、隣り合う出力端子ＴＱ１、ＴＱ２の間に第１のスイッチ群ＳＧ１と第２のスイッチ群ＳＧ２により接続されている。これにより、各スイッチのオン及びオフを制御することで、各キャパシターを隣り合う出力端子ＴＱ１、ＴＱ２の間に接続するか否かを制御できる。即ち、スイッチＳＡｊ、ＳＢｊがオンになった場合にはキャパシターＣＡｊが出力端子ＴＱ１、ＴＱ２の間に接続され、スイッチＳＡｊ、ＳＢｊがオフになった場合にはキャパシターＣＡｊが出力端子ＴＱ１、ＴＱ２の間に接続されない。
【００７１】
また本実施形態では、キャパシター群ＣＧ１の各キャパシターの容量値はバイナリーに重み付けされている。即ち、キャパシターＣＡ１の容量値を１Ｃとすると、キャパシターＣＡｊの容量値は２ｊ−１Ｃである。
【００７２】
このようにすれば、バイナリーコードでスイッチ群ＳＧ１、ＳＧ２を制御することにより、容量回路ＣＣ１の容量値を１Ｃ〜２５６Ｃ（広義には２ｐ−１Ｃ）の範囲で１Ｃずつ調整することが可能となる。
【００７３】
４．測定回路
図７は、測定回路２０を含む場合の表示ドライバー１００の詳細な構成例である。図７の表示ドライバー１００は、出力端子ＴＱ１〜ＴＱ５、容量回路ＣＣ１〜ＣＣ５、スイッチＳＣ１〜ＳＣ５、測定回路２０、制御回路３０、駆動回路１０を含む。なお以下ではｎ＝５の場合を例に説明するがｎは５に限定されない。
【００７４】
測定回路２０は、電気光学パネル２００の複数のデータ線の間の容量値情報を測定する。そして、測定回路２０により測定された容量値情報に基づいて各容量回路（ＣＣ１〜ＣＣ５）の容量値が設定される。
【００７５】
具体的には、測定回路２０は、隣り合うデータ線の間の寄生容量ＣＰ１２、ＣＰ２３、ＣＰ３４、ＣＰ４５、ＣＰ５１の容量値を測定し、その容量値に対応した容量値情報を取得する。容量値情報は、容量値そのものを表す情報（データ）であってもよいし、或いは容量値に応じて変動する何らかの情報や、各容量値に１対１に対応付けられた情報であってもよい。
【００７６】
本実施形態によれば、データ線間の容量値情報を測定することで、その容量値情報に基づいて、データ線間の容量が同じになるように容量回路の容量値を調整することが可能となる。
【００７７】
また本実施形態では、測定回路２０は、判定電圧ＶＲ（基準電圧）が第１の入力端子（例えば負極性端子）に入力される比較回路２１（コンパレーター）と、複数の出力端子ＴＱ１〜ＴＱ５のいずれかの出力端子を比較回路２１の第２の入力端子（例えば正極性端子）に接続するスイッチ群２２と、を有する。
【００７８】
具体的には、スイッチ群２２はスイッチＳＤ１〜ＳＤ５を有する。スイッチＳＤ１〜ＳＤ５の一端は出力端子ＴＱ１〜ＴＱ５に接続され、他端は比較回路２１の第２の入力端子に接続される。スイッチＳＤ１〜ＳＤ５は例えばトランジスターであり、そのオン及びオフは制御回路３０により制御される。判定電圧ＶＲは、例えば図１７の電圧生成回路５０から供給される。
【００７９】
本実施形態によれば、いずれかの出力端子がスイッチ群２２により比較回路２１の第２の入力端子に接続され、その出力端子の電圧と判定電圧ＶＲとが比較される。これにより、その出力端子の電圧変動を判定電圧ＶＲと比較でき、その比較結果から容量値情報を取得することが可能となる。
【００８０】
より具体的には、第ｉの出力端子ＴＱｉの電圧が変化する場合において、スイッチ群２２は第ｉの出力端子ＴＱｉに隣り合う第ｉ＋１の出力端子ＴＱｉ＋１を第２の入力端子に接続する。比較回路２１は、第ｉ＋１の出力端子ＴＱｉ＋１の電圧と判定電圧ＶＲとを比較する。
【００８１】
例えば出力端子ＴＱ３（ＴＱｉ）の電圧が変化する場合において、スイッチＳＤ１〜ＳＤ３、ＳＤ５がオフになり、スイッチＳＤ４（ＳＤｉ＋１）がオンになり、出力端子ＴＱ４（ＴＱｉ＋１）が比較回路２１の第２の入力端子に接続される。このとき、第２の入力端子の電圧ＣＭＩは、出力端子ＴＱ４の電圧ＶＱ４になる。そして、比較回路２１は電圧ＣＭＩ＝ＶＱ４と判定電圧ＶＲとを比較し、その比較結果である信号ＣＭＱを制御回路３０に出力する。制御回路３０は、信号ＣＭＱに基づいて容量値情報を取得する。
【００８２】
なお、第ｉの出力端子と第ｉ＋１の出力端子は隣り合う出力端子であればよく、その順番は問わない。即ち、上記では出力端子ＴＱ１、ＴＱ２、・・・に第１、第２、・・・と番号を付けた場合を説明したが、これに限らず、出力端子ＴＱ５、ＴＱ４、・・・に第１、第２、・・・と番号を付けてもよい。
【００８３】
本実施形態によれば、出力端子ＴＱｉ＋１に隣り合う出力端子ＴＱｉの電圧を変化させた場合に、出力端子ＴＱｉ＋１の電圧変動を比較回路２１により判定電圧ＶＲと比較できる。隣り合うデータ線間の寄生容量の容量値に応じて、出力端子ＴＱｉ＋１の電圧変動の大きさが変わるので、比較回路２１による比較結果に基づいて寄生容量の容量値を測定できる。
【００８４】
なお、スイッチＳＣ１〜ＳＣ５の一端には駆動回路１０からのデータ信号ＤＳ１〜ＤＳ５（データ電圧）が供給され、スイッチＳＣ１〜ＳＣ５の他端は出力端子ＴＱ１〜ＴＱ５の電圧ＶＱ１〜ＶＱ５である。スイッチＳＣｉがオンになっている場合、ＶＱｉ＝ＤＳｉである。スイッチＳＣ１〜ＳＣ５は例えばトランジスターであり、そのオン及びオフは制御回路３０により制御される。
【００８５】
図８、図９は、寄生容量の容量値の測定手法と、容量回路の容量値の調整手法を説明する図である。
【００８６】
図８には、出力端子ＴＱ３の電圧ＶＱ３を変化させた場合の出力端子ＴＱ４の電圧ＶＱ４を示す。この場合、図７のスイッチＳＣ１、ＳＣ３、ＳＣ５がオンになり、スイッチＳＣ２、ＳＣ４がオフになる。またスイッチＳＤ４がオンになり、スイッチＳＤ１〜ＳＤ３、ＳＤ５がオフになる。そして駆動回路１０が電圧ＶＱ３＝ＤＳ３を所定の電圧幅で徐々に（ステップ状に）変化させる。電圧設定値は例えばカウンターのカウント値であり、カウント値が１増える毎に所定の電圧幅だけ電圧ＶＱ３＝ＤＳ３が上昇（又は下降）する。出力端子ＴＱ３、ＴＱ４の間の寄生容量ＣＰ３４により、電圧ＶＱ３の変化にともなって電圧ＶＱ４が徐々に変化する。この電圧変動の１ステップの電圧幅は寄生容量ＣＰ３４の容量値で決まっている。図８の例では、電圧設定値が７から８に変化したときに電圧ＶＱ４が判定電圧ＶＲよりも大きくなり、比較回路２１の出力信号ＣＭＱの論理レベルが変化する（例えばローレベルからハイレベルになる）。
【００８７】
図９には、出力端子ＴＱ４の電圧ＶＱ４を変化させた場合の出力端子ＴＱ５の電圧ＶＱ５を示す。この場合、図７のスイッチＳＣ１、ＳＣ２、ＳＣ４がオンになり、スイッチＳＣ３、ＳＣ５がオフになる。またスイッチＳＤ５がオンになり、スイッチＳＤ１〜ＳＤ４がオフになる。そして駆動回路１０が電圧ＶＱ４＝ＤＳ４を所定の電圧幅で徐々に（ステップ状に）変化させる。出力端子ＴＱ４、ＴＱ５の間の寄生容量ＣＰ４５により、電圧ＶＱ４の変化にともなって電圧ＶＱ５が徐々に変化する。図９の例では、電圧設定値が３から４に変化したときに電圧ＶＱ５が判定電圧ＶＲよりも大きくなり、比較回路２１の出力信号ＣＭＱの論理レベルが変化する。
【００８８】
例えば寄生容量ＣＰ１２、ＣＰ２３、ＣＰ３４、ＣＰ４５、ＣＰ５１の中でＣＰ４５の容量値が最大であったとする。この場合、電圧ＶＱ４を変化させた場合の電圧ＶＱ５が、最も小さい電圧設定値（図９の例では４）で比較回路２１の出力信号ＣＭＱの論理レベルが変化する。図８に示すように、容量回路ＣＣ３の容量値を調整する際には、電圧ＶＱ３を変化させた場合の電圧ＶＱ４が、上記の最も小さい電圧設定値（４）で比較回路２１の出力信号ＣＭＱの論理レベルが変化するように、容量回路ＣＣ３の容量値を設定する。このような調整を行うことで、寄生容量ＣＰ３４と容量回路ＣＣ３の容量値の合計が、最大の寄生容量ＣＰ４５の容量値とほぼ同一となる。容量回路ＣＣ１、ＣＣ２、ＣＣ５についても同様な調整を行う。容量回路ＣＣ４は例えば測定時に設定される所定の容量値（例えば０）から変更されない。
【００８９】
図１０は、寄生容量の容量値を測定する処理のフローチャートである。この処理が開始されると、測定回路２０と制御回路３０は、寄生容量ＣＰ１２、ＣＰ２３、ＣＰ３４、ＣＰ４５、ＣＰ５１の容量値を順次に測定する（Ｓ１〜Ｓ５）。即ち、制御回路３０は、各寄生容量について、出力端子の電圧が判定電圧ＶＲに達したときの電圧設定値（比較回路２１の出力信号ＣＭＱの論理レベルが変化したときの電圧設定値）を取得する。なお、寄生容量ＣＰ１２、ＣＰ２３、ＣＰ３４、ＣＰ４５、ＣＰ５１の測定順はこれに限定されず、任意の順でよい。次に、制御回路３０は、各寄生容量について取得された、出力端子の電圧が判定電圧ＶＲに達したときの電圧設定値のうち、最小値を抽出する（Ｓ６）。
【００９０】
図１１は、寄生容量ＣＰ３４の容量値を測定する処理（Ｓ３）の詳細なフローチャートである。なお、寄生容量ＣＰ１２、ＣＰ２３、ＣＰ４５、ＣＰ５１の容量値についても同様の処理で測定できる。この処理が開始されると、制御回路３０は、比較回路２１に出力端子ＴＱ４を接続する（Ｓ１１）。即ち制御回路３０は、スイッチＳＤ４をオンにする。次に駆動回路１０は、全出力を初期電圧ＶＣに設定する（Ｓ１２）。即ち、制御回路３０はスイッチＳＣ１〜ＳＣ５をオンにし、駆動回路１０はデータ信号ＤＳ１〜ＤＳ５として初期電圧ＶＣを出力する。初期電圧ＶＣは、例えば電気光学パネル２００のコモン電極に供給されるコモン電圧である。次に、制御回路３０は、出力端子ＴＱ２、ＴＱ４の出力を高インピーダンスに設定する（Ｓ１３）。即ち、制御回路３０はスイッチＳＣ２、ＳＣ４をオフにする。次に、比較回路２１の判定電圧ＶＲを設定する（Ｓ１４）。例えば図１７の電圧生成回路５０からの判定電圧ＶＲが、セレクターによる選択等により比較回路２１の第１の入力端子に入力される。
【００９１】
次に、制御回路３０は、出力端子ＴＱ３の電圧設定値を＋１する（Ｓ１５）。即ち制御回路３０が出力端子ＴＱ３の電圧設定値を＋１し、その電圧設定値に応じた電圧ＶＱ３＝ＤＳ３を駆動回路１０が出力する。例えば電圧設定値の初期値は０であり、初期値の場合は電圧ＶＱ３＝ＶＣである。なおステップＳ１５での電圧設定値の変化は＋１に限定されず、電圧ＶＱ３が徐々に増加（又は減少）していくように電圧設定値が変更されればよい。次に、比較回路２１は、出力端子ＴＱ４の電圧ＶＱ４が判定電圧ＶＲよりも大きいか否かを判定する（Ｓ１６）。電圧ＶＱ４が判定電圧ＶＲ以下であると判定された場合、制御回路３０は、出力端子ＴＱ３の電圧設定値を＋１する（Ｓ１５）。一方、電圧ＶＱ４が判定電圧ＶＲよりも大きいと判定された場合、制御回路３０は、そのときの出力端子ＴＱ３の電圧設定値を記録する（Ｓ１７）。
【００９２】
図１２は、容量回路の容量値を調整する処理のフローチャートである。この処理が開始されると、制御回路３０は、容量回路ＣＣ１、ＣＣ２、ＣＣ３、ＣＣ４、ＣＣ５の容量値を順次に調整する（Ｓ２１〜Ｓ２５）。なお、容量回路ＣＣ１、ＣＣ２、ＣＣ３、ＣＣ４、ＣＣ５の容量値の調整順はこれに限定されず、任意の順でよい。
【００９３】
図１３は、容量回路ＣＣ３の容量値を調整する処理（Ｓ２３）の詳細なフローチャートである。なお、容量回路ＣＣ１、ＣＣ２、ＣＣ４、ＣＣ５の容量値についても同様の処理で調整できる。この処理が開始されると、制御回路３０は、比較回路２１に出力端子ＴＱ４を接続する（Ｓ３１）。即ち制御回路３０は、スイッチＳＤ４をオンにする。次に駆動回路１０は、全出力を初期電圧ＶＣに設定する（Ｓ３２）。即ち、制御回路３０はスイッチＳＣ１〜ＳＣ５をオンにし、駆動回路１０はデータ信号ＤＳ１〜ＤＳ５として初期電圧ＶＣを出力する。次に、制御回路３０は、出力端子ＴＱ２、ＴＱ４の出力を高インピーダンスに設定する（Ｓ３３）。即ち、制御回路３０はスイッチＳＣ２、ＳＣ４をオフにする。次に、比較回路２１の判定電圧ＶＲを設定する（Ｓ３４）。例えば図１７の電圧生成回路５０からの判定電圧ＶＲが、セレクターによる選択等により比較回路２１の第１の入力端子に入力される。
【００９４】
次に、制御回路３０は、出力端子ＴＱ３の電圧設定値を、ステップＳ６で抽出された最小値に設定する（Ｓ３５）。即ち、制御回路３０は、初期電圧ＶＣに対応する電圧設定値（例えば０）から、ステップＳ６で抽出された最小値（図９の例では４）に変化させ、駆動回路１０は、その電圧設定値に応じた電圧ＶＱ３＝ＤＳ３を出力する。次に、比較回路２１は、出力端子ＴＱ４の電圧ＶＱ４が判定電圧ＶＲよりも大きいか否かを判定する（Ｓ３６）。電圧ＶＱ４が判定電圧ＶＲ以下であると判定された場合、駆動回路１０は、出力端子ＴＱ３を初期電圧ＶＣに設定する（Ｓ３７）。次に、制御回路３０は、出力端子ＴＱ３、ＴＱ４の間の容量回路ＣＣ３の容量値を＋１Ｃし（Ｓ３８）、ステップＳ３５に戻る。容量値の初期値は例えば０Ｃである。一方、ステップＳ３６において電圧ＶＱ４が判定電圧ＶＲよりも大きいと判定された場合、制御回路３０は、そのときの容量回路ＣＣ３の容量値を保存する（Ｓ３９）。
【００９５】
なお、測定手法と調整手法の変形例として例えば以下のように一部の寄生容量の容量値のみを測定して容量回路の容量値を調整する手法がある。即ち、図４で説明したように寄生容量の容量値は順に大小を繰り返し、その大小の比はほぼ同じになっている。そこで、容量値が小さい寄生容量と容量値が大きい寄生容量を１つずつ測定する（例えば図１０のＳ１、Ｓ２、Ｓ６を実行してＣＰ１２、ＣＰ２３を測定する）。次に、容量値が大きい方の寄生容量に合わせるように、容量値が小さい方の寄生容量に対応する容量回路の容量値を調整する（例えばＣＰ１２＜ＣＰ２３の場合、図１２のＳ２１を実行してＣＣ１の容量値を調整する）。そして、寄生容量の容量値が小さい他のデータ線に対応する容量回路も、同じ容量値に設定する（例えばＣＰ３４、ＣＰ５１がＣＰ２３、ＣＰ４５よりも小さい場合、ＣＣ３、ＣＣ５の容量値をＣＣ１の容量値と同じ容量値に設定する）。
【００９６】
５．駆動回路
図１４は、駆動回路１０の第１の詳細な構成例である。図１４の駆動回路１０は、出力端子ＴＱ１に対応して設けられたアンプ回路１２と、アンプ回路１２による駆動をアシストする駆動アシスト回路１４と、を有する。駆動アシスト回路１４は、データ信号ＤＳ１の階調変化情報に基づいて予備駆動を行う。なお以下では出力端子ＴＱ１に対応して設けられたアンプ回路１２及び駆動アシスト回路１４を例に説明するが、同様のアンプ回路及び駆動アシスト回路が複数の出力端子ＴＱ１〜ＴＱｎの各出力端子に対応して設けられる。
【００９７】
具体的には、アンプ回路１２は、Ｄ／Ａ変換回路（図１７のＤ／Ａ変換回路４０）の出力電圧ＶＩＮを増幅し、その増幅された電圧を出力端子ＴＱ１に出力する。駆動アシスト回路１４は、高電位側電源電圧ＶＤＤのノードと出力端子ＴＱ１との間に設けられたＰ型トランジスターＴＰ１〜ＴＰ９（第１導電型トランジスター）と、低電位側電源電圧ＶＳＳのノードと出力端子ＴＱ１との間に設けられたＮ型トランジスターＴＮ１〜ＴＮ９（第２導電型トランジスター）と、を有する。トランジスターＴＰ１、ＴＮ１の駆動能力を１ｘとした場合、トランジスターＴＰｋ、ＴＮｋ（ｋは１以上９以下の整数）の駆動能力は２ｋ−１ｘである。駆動能力は例えば同一のゲート−ソース間電圧に対するドレイン電流であり、例えばトランジスターのチャネル幅（Ｗ／ＬのＷ）、或いはユニットトランジスターの個数で設定される。トランジスターＴＰ１〜ＴＰ９、ＴＮ１〜ＴＮ９は、制御回路３０によりオン及びオフが制御される。制御回路３０は、データ信号ＤＳ１の電圧変化（表示データの階調変化）に応じた駆動能力を演算し、その駆動能力に対応するトランジスターをオンさせ、そのオンになったトランジスターにより予備駆動が行われる。図１４の例では、駆動能力を１ｘ〜５１１ｘの範囲で１ｘステップで設定できる。
【００９８】
図１５は、図１４の駆動回路１０の動作を説明する図である。図１５では、階調を０から１２８に変化させる場合と、階調を１２８から６４に変化させる場合を例に説明する。また、ここでは階調が大きいほどデータ信号ＤＳ１の電圧が大きいとする。
【００９９】
階調を０から１２８に変化させる場合、予備駆動期間ＴＳ１において駆動アシスト回路１４がデータ信号ＤＳ１を、階調０に対応する電圧から階調１２８に対応する電圧に（即ち高電位側電源電圧ＶＤＤ側に）変化させる。予備駆動期間ＴＳ１の後のアンプ駆動期間ＴＡ１では、アンプ回路１２が階調１２８に対応する電圧を出力端子ＴＱ１に出力する。
【０１００】
予備駆動において、制御回路３０は、前回の駆動における表示データの階調と今回の駆動における階調との差（１２８−０＝１２８）から、その階調差に相当する電圧差を予備駆動期間ＴＳ１に生じさせる駆動能力を演算する。例えば階調差が大きいほど大きな駆動能力を設定する。また制御回路３０は、目標電圧（階調１２８に対応する電圧）に応じて駆動能力を演算する。例えばデータ信号ＤＳ１の電圧変化が正である場合、目標電圧が高電位側電源電圧ＶＤＤに近いほど（階調が最大階調に近いほど）、大きな駆動能力を設定する。制御回路３０は、データ信号ＤＳ１の電圧変化が正である場合、演算した駆動能力となるように、駆動アシスト回路１４のＰ型トランジスターＴＰ１〜ＴＰ９のオン及びオフを制御する。Ｎ型トランジスターＴＮ１〜ＴＮ９はオフに制御する。
【０１０１】
階調を１２８から６４に変化させる場合、予備駆動期間ＴＳ２において駆動アシスト回路１４がデータ信号ＤＳ１を、階調１２８に対応する電圧から階調６４に対応する電圧に（即ち低電位側電源電圧ＶＳＳ側に）変化させる。予備駆動期間ＴＳ２の後のアンプ駆動期間ＴＡ２では、アンプ回路１２が階調６４に対応する電圧を出力端子ＴＱ１に出力する。
【０１０２】
この場合、予備駆動期間ＴＳ１よりも階調差が小さい（１２８−６４＝６４）ので、階調差に応じた駆動能力という点では駆動能力が小さくなる。また、データ信号ＤＳ１の電圧変化が負なので、目標電圧が低電位側電源電圧ＶＳＳに近いほど（階調が最小階調に近いほど）、大きな駆動能力を設定する。制御回路３０は、データ信号ＤＳ１の電圧変化が負である場合、演算した駆動能力となるように、駆動アシスト回路１４のＮ型トランジスターＴＮ１〜ＴＮ９のオン及びオフを制御する。Ｐ型トランジスターＴＰ１〜ＴＰ９はオフに制御する。
【０１０３】
駆動アシスト回路１４の予備駆動で到達した電圧が、目標電圧（階調１２８や階調６４に対応する電圧）からずれていた場合、アンプ回路１２の駆動で修正される。しかしながら、その修正が大きいとアンプ回路１２に大きな駆動能力が要求され、消費電力が増大する。駆動アシスト回路１４の予備駆動では、トランジスターが流す電流でデータ線の寄生容量や画素容量を充電している。このとき、充電される容量値が異なっていれば、必要な駆動能力も異なってくる。即ち、データ線間の寄生容量が各データ線で異なっていれば、同じ電圧変化に対して必要な駆動能力も違うということになる。本実施形態では、データ線間の容量を容量回路で調整できるので、予備駆動で充電する容量を各データ線で同じにできる。そのため、同じ電圧変化に対して同じ駆動能力で予備駆動を行うことができる。これにより、予備駆動で到達する電圧と目標電圧との誤差を低減し、アンプ回路１２の消費電力を低減できる。また、データ線毎に駆動能力の演算を異ならせる必要がなく、駆動能力の演算を簡素化できる。
【０１０４】
図１６は、駆動回路１０の第２の詳細な構成例である。図１６の駆動回路１０は、アンプ回路１２、キャパシター回路１６、キャパシター駆動回路１８を有する。キャパシター回路１６は第１〜第ｍのキャパシターＣ１〜Ｃｍ（ｍは２以上の整数）を有し、第１〜第ｍのキャパシターＣ１〜Ｃｍは、出力端子ＴＱ１に対応して設けられ、その出力端子ＴＱ１と第１〜第ｍのキャパシター駆動用ノードＮＤＲ１〜ＮＤＲｍとの間に設けられる。キャパシター駆動回路１８は、表示データＧＤ［ｍ：１］（階調データ）に対応する第１〜第ｍのキャパシター駆動電圧を第１〜第ｍのキャパシター駆動用ノードＮＤＲ１〜ＮＤＲｍに出力する。なお以下ではｍ＝１０の場合を例に説明するがｍは１０に限定されない。また、以下では出力端子ＴＱ１に対応して設けられたアンプ回路１２、キャパシター回路１６、キャパシター駆動回路１８に説明するが、同様のアンプ回路、キャパシター回路、キャパシター駆動回路が複数の出力端子ＴＱ１〜ＴＱｎの各出力端子に対応して設けられる。
【０１０５】
キャパシターＣｑ（ｑは１以上ｍ＝１０以下の整数）の一端は、キャパシター駆動用ノードＮＤＲｑに接続され、キャパシターＣｑの他端は、出力端子ＴＱ１のノードＮＶＱに接続される。キャパシターＣ１〜Ｃ１０は、バイナリー（２の累乗）に重み付けされた容量値を有している。即ちキャパシターＣｑの容量値は２（ｑ−１）×Ｃ１である。
【０１０６】
キャパシター駆動回路１８は、第１〜第１０のキャパシター駆動電圧を出力する第１〜第１０の駆動部ＤＲ１〜ＤＲ１０を有する。駆動部ＤＲｑの入力ノードには、表示データＧＤ［１０：１］の第ｑのビットＧＤｑが入力される。駆動部ＤＲｑの出力ノードは、キャパシター駆動用ノードＮＤＲｑである。表示データＧＤ［１０：１］は第１〜第１０のビットＧＤ１〜ＧＤ１０（第１〜第ｎのビット）で構成され、ビットＧＤ１がＬＳＢに対応し、ビットＧＤ１０がＭＳＢに対応する。
【０１０７】
駆動部ＤＲｑは、ビットＧＤｑが第１論理レベルの場合に第１電圧レベルを出力し、ビットＧＤｑが第２論理レベルの場合に第２電圧レベルを出力する。例えば、第１論理レベルは“０”（ローレベル）、第２論理レベルは“１”（ハイレベル）、第１電圧レベルは低電位側電源電圧ＶＳＳ、第２電圧レベルは高電位側電源電圧ＶＤＤである。
【０１０８】
以上のように、キャパシターＣ１〜Ｃ１０の容量値は、表示データＧＤ［１０：１］のビットＧＤ１〜ＧＤ１０の桁に応じた２の累乗で重み付けされている。そして、駆動部ＤＲ１〜ＤＲ１０が、ビットＧＤ１〜ＧＤ１０に応じてＶＳＳ又はＶＤＤを出力することで、その電圧によりキャパシターＣ１〜Ｃ１０が駆動される。この駆動によってキャパシターＣ１〜Ｃ１０と電気光学パネル側容量ＣＸとの間で電荷再分配が生じ、その結果として出力端子ＴＱ１にデータ電圧（データ信号ＤＳ１）が出力される。
【０１０９】
電気光学パネル側容量ＣＸは、出力端子ＴＱ１から見える容量の合計である。例えば、電気光学パネル側容量ＣＸは、プリント基板の寄生容量である基板容量ＣＸ１と、電気光学パネル２００内の寄生容量や画素容量であるパネル容量ＣＸ２と、を加算したものである。キャパシター回路１６の容量ＣＯ（キャパシターＣ１〜Ｃ１０の容量値の合計）は、ＣＯ：ＣＸが所定の比（例えば１：２）となるように設定される。
【０１１０】
以下、駆動回路１０の動作を説明する。まず駆動回路１０は出力端子ＴＱ１の電圧をコモン電圧（初期電圧）に初期化する。次に、予備駆動期間において、制御回路３０が表示データＧＤ［１０：１］をキャパシター駆動回路１８に出力し、キャパシター駆動回路１８は、その表示データＧＤ［１０：１］に応じたキャパシター駆動電圧をキャパシター回路１６に出力する。そして電荷再分配によりコモン電圧を基準とした電圧が出力端子ＴＱ１に出力される。例えばＣＯ：ＣＸ＝１：２の場合、データ信号ＤＳ１はコモン電圧からＶＤＤ／３の範囲である。予備駆動期間の後のアンプ駆動期間において、アンプ回路１２が、Ｄ／Ａ変換回路（図１７のＤ／Ａ変換回路４０）の出力電圧ＶＩＮを増幅し、その増幅された電圧を出力端子ＴＱ１に出力する。電圧ＶＩＮは、Ｄ／Ａ変換回路が表示データＧＤ［１０：１］をＤ／Ａ変換した電圧である。
【０１１１】
図１６の駆動回路１０では、予備駆動において容量間の電荷再分配を用いるため、電気光学パネル側容量ＣＸが各データ線で異なっていると、電荷再分配後の電圧も異なってしまう。この誤差は、アンプ回路１２の駆動で修正されるが、その修正が大きいとアンプ回路１２に大きな駆動能力が要求され、消費電力が増大する。本実施形態では、データ線間の容量を容量回路で調整できるので、電気光学パネル側容量ＣＸを各データ線で同じにできる。そのため、予備駆動で到達する電圧と目標電圧との誤差を低減し、アンプ回路１２の消費電力を低減できる。
【０１１２】
なお、駆動回路１０は、各出力端子と基準電圧のノードとの間に設けられる可変容量回路を更に含んでもよい。可変容量回路の容量値と電気光学パネル側容量の容量値を加算した容量値と、キャパシター回路１６の容量値とが、所与の容量比関係になるように、可変容量回路の容量が設定される。即ち、基板容量ＣＸ１やパネル容量ＣＸ２は、基板の設計や電気光学パネル２００の種類（製品）によって異なっているため、それによって電荷再分配後の電圧が変動してしまう。可変容量回路は、このような変動が生じないように容量比を調整する。即ち、可変容量回路の容量値をＣＡＤとした場合、ＣＯ：（ＣＡＤ＋ＣＸ）が所定の容量比（例えば１：２）となるように、ＣＡＤを設定する。
【０１１３】
ここで、図１６では駆動回路１０がアンプ回路１２を含む場合を説明したが、これに限定されずアンプ回路１２を省略してもよい。この場合、キャパシター回路１６の電荷再分配のみで電気光学パネル２００を駆動する。
【０１１４】
６．電気光学装置
図１７は、本実施形態の表示ドライバー１００を含む電気光学装置４００（表示装置）の構成例である。電気光学装置４００は、表示ドライバー１００、電気光学パネル２００を含む。表示ドライバー１００は、駆動回路１０、測定回路２０、制御回路３０、Ｄ／Ａ変換回路４０、電圧生成回路５０、記憶部６０（メモリー）、インターフェース回路７０、容量回路８０を含む。電気光学パネル２００は、画素アレイ２１０、サンプルホールド回路２２０を含む。容量回路８０は、図１等の容量回路ＣＣ１〜ＣＣｎに対応する。画素アレイ２１０は図２の複数の画素がアレイ状に配置されたものである。サンプルホールド回路２２０は、図２のトランジスターＴＲ１、ＴＲ２、ＴＲ３、・・・に対応する。
【０１１５】
インターフェース回路７０は、表示ドライバー１００と外部の処理装置（例えば図１８の処理部３１０）との間の通信を行う。例えば外部の処理装置からインターフェース回路７０を介してクロック信号や表示データが制御回路３０に入力される。
【０１１６】
制御回路３０はインターフェース回路７０を介して入力されたクロック信号や表示データに基づいて表示ドライバー１００の各部を制御する。例えば制御回路３０は、画素アレイ２１０の水平走査線の選択や垂直同期制御等の表示タイミングの制御を行い、その表示タイミングに従って駆動回路１０の制御を行う。
【０１１７】
電圧生成回路５０は、各種電圧を生成して駆動回路１０やＤ／Ａ変換回路４０に出力する。例えば電圧生成回路５０は、複数の電圧を生成する階調電圧生成回路（例えばラダー抵抗）、駆動回路１０のアンプ回路の電源を生成する電源回路、測定回路２０の判定電圧ＶＲを生成する電圧生成回路等を含む。
【０１１８】
Ｄ／Ａ変換回路４０は、制御回路３０からの表示データをＤ／Ａ変換し、そのＤ／Ａ変換された電圧を駆動回路１０に出力する。即ち、電圧生成回路５０の階調電圧生成回路から供給される複数の電圧のうち、表示データに対応する電圧を選択し、その選択された電圧を駆動回路１０に出力する。
【０１１９】
記憶部６０は、表示ドライバー１００の制御に用いる種々のデータ（例えば設定データ）等を記憶する。例えば記憶部６０は不揮発性メモリーやＲＡＭ（ＳＲＡＭ、ＤＲＡＭ等）で構成される。
【０１２０】
７．電子機器
図１８は、本実施形態の表示ドライバー１００を含む電子機器３００の構成例である。電子機器３００の具体例としては、例えばプロジェクターやヘッドマウントディスプレイ、携帯情報端末、車載装置（例えばメーターパネル、カーナビゲーションシステム等）、携帯型ゲーム端末、情報処理装置等の、表示装置を搭載する種々の電子機器を想定できる。
【０１２１】
電子機器３００は、処理部３１０（例えばＣＰＵ等のプロセッサー、或いはゲートアレイ）、記憶部３２０（例えばメモリー、ハードディスク等）、操作部３３０（操作装置）、インターフェース部３４０（インターフェース回路、インターフェース装置）、電気光学装置４００（ディスプレイ）を含む。電気光学装置４００は図１７のように表示ドライバー１００と電気光学パネル２００を含む。
【０１２２】
操作部３３０は、ユーザーからの種々の操作を受け付けるユーザーインターフェースである。例えば、ボタンやマウス、キーボード、電気光学装置４００（電気光学パネル２００）に装着されたタッチパネル等である。インターフェース部３４０は、画像データや制御データの入出力を行うデータインターフェースである。例えばＵＳＢ等の有線通信インターフェースや、或は無線ＬＡＮ等の無線通信インターフェースである。記憶部３２０は、インターフェース部３４０から入力されたデータを記憶する。或は、記憶部３２０は、処理部３１０のワーキングメモリーとして機能する。処理部３１０は、インターフェース部３４０から入力された或いは記憶部３２０に記憶された表示データを処理して電気光学装置４００（表示ドライバー１００）に転送する。電気光学装置４００は、処理部３１０から転送された表示データに基づいて画素アレイに画像を表示する。
【０１２３】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また本実施形態及び変形例の全ての組み合わせも、本発明の範囲に含まれる。また表示ドライバー、電気光学パネル、電気光学装置、電子機器等の構成・動作等も、本実施形態で説明したものに限定されず、種々の変形実施が可能である。
【符号の説明】
【０１２４】
１０…駆動回路、１２…アンプ回路、１４…駆動アシスト回路、
１６…キャパシター回路、１８…キャパシター駆動回路、２０…測定回路、
２１…比較回路、２２…スイッチ群、３０…制御回路、３２…レジスター、
４０…Ｄ／Ａ変換回路、５０…電圧生成回路、６０…記憶部、
７０…インターフェース回路、８０…容量回路、１００…表示ドライバー、
２００…電気光学パネル、２１０…画素アレイ、２２０…サンプルホールド回路、
３００…電子機器、３１０…処理部、３２０…記憶部、３３０…操作部、
３４０…インターフェース部、４００…電気光学装置、
ＣＣ１〜ＣＣｎ…容量回路、ＣＧ１…キャパシター群、
ＣＸ…電気光学パネル側容量、Ｄ１…第１の方向、Ｄ２…第２の方向、
ＤＳ１〜ＤＳｎ…データ信号、ＳＧ１…第１のスイッチ群、
ＳＧ２…第２のスイッチ群、ＴＩ１〜ＴＩ８…入力端子、
ＴＱ１〜ＴＱｎ…出力端子、ＶＲ…判定電圧
【図１】
2018025662.tif 000003
【図２】
2018025662.tif 000004
【図３】
2018025662.tif 000005
【図４】
2018025662.tif 000006
【図５】
2018025662.tif 000007
【図６】
2018025662.tif 000008
【図７】
2018025662.tif 000009
【図８】
2018025662.tif 000010
【図９】
2018025662.tif 000011
【図１０】
2018025662.tif 000012
【図１１】
2018025662.tif 000013
【図１２】
2018025662.tif 000014
【図１３】
2018025662.tif 000015
【図１４】
2018025662.tif 000016
【図１５】
2018025662.tif 000017
【図１６】
2018025662.tif 000018
【図１７】
2018025662.tif 000019
【図１８】
2018025662.tif 000020